(57)【要約】【課題】レンズ交換のためにボディマウントの開口部を開放すると、カメラの外部からミラーボックス内に入り込んだ塵芥がスクリーン本体の周りの隙間を経てペンタプリズム側に侵入してファインダスクリーン上に付着するおそれがある。【解決手段】スクリーン本体５４は、スクリーン押圧部材５６との間にファインダスクリーン５２を挟持して、ペンタプリズム４１と反射ミラーとの間でミラーボックス６０の上面の矩形状の開口部６０ａに支持されている。そして、板状の可撓性部材からなる可撓性シート７０が、ペンタプリズム側の一端７０ａ１を両面テープ７０ｂでミラーボックスの開口部６０ａの側面６０ａ’に固定され、反射ミラー側の他端７０ａ２を自由端とする舌片状にミラーボックスの開口部６０ａの側面６０ａ’に設けられている。【選択図】図５
2009092944.tif 000002
【特許請求の範囲】
【請求項１】
一眼レフレックスカメラのファインダ構造において、
ペンタプリズムと、
被写体光束を上記ペンタプリズムへ反射する反射ミラーと、
板状のファインダスクリーンを上記ペンタプリズムと上記反射ミラーとの間に配置するための矩形状のスクリーン本体と、
カメラ本体内部に設けられた上記スクリーン本体を支持するために矩形状の開口部を有する枠部材と、
板状の可撓性部材からなり、上記スクリーン本体の側面と対向する上記矩形状の開口部の側面との間で上記枠部材に設けられ、上記反射ミラーから上記ペンタプリズムへの方向において上記ペンタプリズム側の一端が固定され、上記反射ミラー側の他端が自由端となり、上記反射ミラー側から上記ペンタプリズム側への空気の流入を阻止する可撓性シートと、
を有することを特徴とする一眼レフレックスカメラのファインダ構造。
【請求項２】
上記枠部材は、上記反射ミラーを可動可能に支持しているミラーボックスであることを特徴とする請求項１記載の一眼レフレックスカメラのファインダ構造。
【請求項３】
上記スクリーン本体の外形と上記枠部材の開口部の内形とが、隙間嵌め状態の嵌合である特徴とする請求項１または２記載の一眼レフレックスカメラのファインダ構造。
【発明の詳細な説明】
【技術分野】
【０００１】
本発明は、一眼レフレックスカメラ、特に、ファインダスクリーン、スクリーン押圧部材、スクリーン本体をユニット化した一眼レフレックスカメラのファインダ構造に関する。
【背景技術】
【０００２】
一般的に、一眼レフレックスカメラにおいては、撮影光学系レンズを通過した被写体からの光束を光軸（撮影系光軸）上の可動の反射ミラー（メインミラー）で上方に反射させてファインダスクリーン（焦点板、フォーカシングスクリーン）で結像し、その像（倒立像）を焦点板の上方に位置するペンタプリズム（またはペンタミラー）で正立像として、ペンタプリズムの後方に位置する接眼光学系で正立像の被写体像を観察している。
また、一眼レフレックスカメラは、ミラーボックス前面の開放されたボデイマウントの開口部に撮影光学系レンズを装着可能となっていて、レンズ交換がなされる。
【０００３】
反射ミラーからの反射光をファインダスクリーンを撮像面と等価の位置に配置するために、ボデイマウントからのファインダスクリーンの光路長や、接眼光学系の光軸（接眼系光軸）、すなわち反射ミラーによって折り曲げられた撮影系光軸に対するファインダスクリーンの傾きを調整する必要がある。
【０００４】
たとえば特開２００５−０１７４０３号公報記載のように、矩形状のスクリーン押圧部材がその上にファインダスクリーンを保持し、そのスクリーン押圧部材を一回り大きな矩形状のスクリーン本体（ユニット枠）内に下方から装着することにより、ファインダスクリーンをスクリーン押圧部材、スクリーン本体の間に挟持してファインダスクリーン、スクリーン押圧部材、スクリーン本体をユニット化している。そして、ミラーボックスの上面との間隔を厚さの異なる複数のスペーサ（カンザ）で調整してそのユニット（スクリーンユニット）をミラーボックスの上面に位置決めし、それによってファインダスクリーンの光路長や傾きを調整している。
【発明の開示】
【発明が解決しようとする課題】
【０００５】
ファインダスクリーン、スクリーン押圧部材、スクリーン本体をユニット化してなるスクリーンユニットがミラーボックスに対して可動であるため、スクリーンユニットの周囲、具体的にはスクリーン本体の周囲に隙間が必ず存在する。しかし、隙間が存在すれば、撮影光学系レンズをミラーボックス前面のボディマウントに装着するためにボディマウントの開口部を開放すると、カメラの外部からミラーボックス内に入り込んだ塵芥がスクリーン本体の隙間を経てペンタプリズム側に侵入してファインダスクリーン上に付着するおそれがある。特に、ボディマウントの開口部や反射ミラーから塵芥を除くためにブロアーなどを使用すると、塵芥がスクリーン本体の周りの隙間からペンタプリズム側に流れ込んでファインダスクリーン上に付着しやすい。
本発明は、ペンタプリズム側への塵芥の侵入を妨げることのできる一眼レフレックスカメラのファインダ構造の提供を目的としている。
【特許文献１】特開２００５−０１７４０３号公報
【課題を解決するための手段】
【０００６】
請求項１記載の本発明によれば、一眼レフレックスカメラのファインダ構造は、ペンタプリズムと、被写体光束を上記ペンタプリズムへ反射する反射ミラーと、板状のファインダスクリーンを上記ペンタプリズムと上記反射ミラーとの間に配置するための矩形状のスクリーン本体と、カメラ本体内部に設けられた上記スクリーン本体を支持するために矩形状の開口部を有する枠部材と、板状の可撓性部材からなり、上記スクリーン本体の側面と対向する上記矩形状の開口部の側面との間で上記枠部材に設けられ、上記反射ミラーから上記ペンタプリズムへの方向において上記ペンタプリズム側の一端が固定され、上記反射ミラー側の他端が自由端となり、上記反射ミラー側から上記ペンタプリズム側への空気の流入を阻止する可撓性シートとを有することを特徴としている。
請求項２記載の本発明によれば、上記枠部材は、上記反射ミラーを可動可能に支持しているミラーボックスとなっている。
請求項３記載の本発明によれば、上記スクリーン本体の外形と上記枠部材の開口部の内形とが、隙間嵌め状態の嵌合となっている。
【発明の効果】
【０００７】
請求項１記載の本発明では、可撓性シートが反射ミラー側に自由端が位置する舌片状に配置されているため、空気の流れが生じると、その自由端が気流の圧力差で浮き上がって、対向するスクリーン本体の側面に押し付けられ、スクリーン本体の周りの隙間を塞いで隙間を介した空気の流れが妨げられる。そのため、それ以降でのペンタプリズム側への塵芥の侵入が阻止されてファインダスクリーン上への塵芥の付着が防止されることにより、ファインダスクリーン上への塵芥の付着を大幅に減らすことができる。
また、空気の流れのない通常の使用時においては、可撓性シートが浮き上がらず、スクリーン本体に接触しないため、スクリーン本体に押力が加わらず、ファインダスクリーンに位置ずれを生じさせることがない。
請求項２記載の本発明では、反射ミラー側の可撓性シートの自由端が浮き上がって、ミラーボックスとの間でのスクリーン本体の隙間を塞いで隙間を介した空気の流れを妨げ、ペンタプリズム側への塵芥の侵入が阻止され、ファインダスクリーン上への塵芥の付着が大幅に減らされる。
請求項３記載の本発明では、隙間嵌め状態の嵌合であるため、スクリーン本体の外形と枠部材の開口部の内形との間のどのような隙間も可撓性シートで適切に塞ぐことができる。
【発明を実施するための最良の形態】
【０００８】
本発明では、ファインダスクリーンをペンタプリズムと反射ミラーとの間に配置するスクリーン本体は、ミラーボックスの上面の矩形状の開口部に支持されている。そして、可撓性シートが、ペンタプリズム側の一端を固定され、反射ミラー側の他端を自由端とする舌片状にミラーボックスの開口部の側面に設けられている。
【実施例】
【０００９】
以下、図面を参照しながら本発明の実施例について詳細に説明する。図１は本発明の一実施例に係るファインダ構造を備えた一眼レフレックスカメラの背面外観の斜視図を示す。図２〜図４は図１に示すカメラからその構成部材を順次除去または分離した図を示し、図２では上蓋が除去され、図３ではファインダユニットがさらに分離されて、図４ではスクリーンユニットがさらに分離されている。また、図５は図３の線Ａ−Ａに沿った一部破断の断面図を示す。
【００１０】
図１に示すように、一眼レフレックスカメラ１０は、カメラ本体２０と、カメラ本体の上面を覆う上蓋３０とを備えて構成されている。上蓋３０を除くとカメラ本体２０の上端に配置されたファインダユニット４０が臨まれ（図２参照）、ファインダユニットの下方でカメラ本体の内部にスクリーンユニット５０が配置されている（図３参照）。
【００１１】
図２、図３に示すように、ファインダユニット４０は、ペンタプリズム４１、接眼光学系レンズ４３などを備え、これらをユニット化して構成されている。また、図４、図５に示すように、スクリーンユニット５０は、ファインダスクリーン５２（焦点板、フォーカシングスクリーン）、スクリーン本体（ユニット枠）５４、スクリーン押圧部材５６などを備え、これらをユニット化して構成されている。
【００１２】
ユニット化されたスクリーンユニット５０の構成は本発明の要部でなく、その基本的な構成は特開２００５−０１７４０３号公報記載の構成に略等しいため、詳細な説明は省略して概略的に述べるに留める。
【００１３】
図５に示すように、スクリーン押圧部材５６は、対向する２枚の板ばね状の保持辺５６ａ（図では１枚のみを示す）を含む４枚の枠辺を持つ矩形状の枠体からなり、２枚の保持辺の中央は凸部状に成形され、この中央の凸部分５６ａ’の上に板状のファインダスクリーン５２が保持されている。
また、スクリーン本体（ユニット枠）５４は、スクリーン押圧部材５６よりも一回り大きな矩形状の枠体からなり、図５には図示されないが、下方に面した段部を有し、スクリーン押圧部材５６に保持されたファインダスクリーン５２の上面をこの段部に押圧させて、スクリーン押圧部材との間にファインダスクリーンを挟持している。
つまり、スクリーン押圧部材の保持辺（板ばね）の中央の凸部分５６ａ’を下方に変形させてスクリーン押圧部材５６がファインダスクリーン５２を保持している。そのため、保持辺５６ａに上方の弾性力が生じ、この弾性力のもとでファインダスクリーン５２の上面はスクリーン本体５４の段部に押圧され、ファインダスクリーンはスクリーン本体、スクリーン押圧部材の間に強固に挟持されている。
【００１４】
カメラ本体２０の前半部には、枠部材６０、たとえばミラーボックスが設けられ、ミラーボックス（枠部材）はその内部に反射ミラー（メインミラー）６２を収納し、その前端は円形に開口し、その上面は矩形に開口されている。ミラーボックス（枠部材）６０の前面の開口部を囲むように、ボディマウントが螺着されている。
反射ミラー６２は、非撮影時（ファインダ観察時）には図４のＹ軸と平行な撮影系光軸上に斜設状態で位置し、ボディマウントに装着された撮影光学系レンズを介した被写体からの光束を上方に反射させてファインダスクリーン５２で結像させている。そして、撮影時には撮影系光軸上から反射ミラー６２が上方に退避するため、被写体光束は反射ミラー背後のシャッタに至る。
【００１５】
特開２００５−０１７４０３号公報記載のような公知の方法でミラーボックス（枠部材）の上面の開口部６０ａをほぼ塞ぐようにその上面にスクリーンユニット５０が位置決めされ、スクリーンユニットの上方にファインダユニット４０が配置されている。
【００１６】
すなわち、図４に示すように、スクリーン本体５４の左右（図４の矢視Ｘ方向が右、反Ｘ方向が左）の辺から４つの突出片５４ａが水平に延出し、この突出片に貫通孔５４ａ’が形成されている。また、ミラーボックス（枠部材）６０の上面には、貫通孔５４ａ’と整列する位置にピン６０ｂが上方に延出している。実施例では、設計上の問題から、ミラーボックス６０の上面の右端面に２つ、左端面に１つのピン６０ｂが設けられているが、上面の左端面に２つ設けてもよい。
【００１７】
さらに、ミラーボックス６０の上面右端面の２つのピン６０ｂから等距離の位置でミラーボックスの上面右端面に、上方に延びたねじ穴付のボス６０ｃが形成され、対応する位置でミラーボックスの上面左端面にも同様のねじ穴付ボスが形成されている。
薄板リング形状のスペーサ（カンザ）５４ｄをミラーボックス上面のピン６０ｂに嵌装させ、中央部が凸の板ばね５４ｂの挿通孔を介してビス５４ｃがミラーボックス上面のボス６０ｃのねじ穴に螺着される。このとき、カンザの厚さやビス５４ｃの螺着深さなどを調整することにより、ミラーボックス６０の上面でのスクリーンユニット５０の位置が調整されて、ボディマウントからのファインダスクリーン５２の光路長や（図５に示す接眼系光軸Ｏ１、すなわち反射ミラーによって折り曲げられた撮影系光軸に対する）傾きが調整される。
【００１８】
ミラーボックス６０の上面に配置されるスクリーンユニット５０は、位置決めのためにミラーボックスに対して可動となっている。スクリーンユニット５０の外形、具体的にはスクリーン本体５４の外形とミラーボックスの上面の開口部６０ａの内形とは、隙間嵌め状態に嵌合されており、図５に示すように、スクリーンユニットとミラーボックスとの間でスクリーンユニットの周囲、具体的にはスクリーン本体５４の周囲に隙間Ｃが存在する。
【００１９】
本発明では、板状の可撓性部材からなる可撓性シート７０が、矩形状のスクリーン本体５４の側面とそれに対向するミラーボックスの上面の開口部６０ａの側面との間でミラーボックス側に舌片状に配置されている。すなわち、可撓性シート７０は、ペンタプリズム側の一端７０ａ１を固定され、反ペンタプリズム側、つまり、反射ミラー側の他端７０ａ２を自由端とした舌片状にミラーボックスの開口部の側面６０ａ’に設けられている。
たとえば、ペンタプリズム側の一端において可撓性シート７０は、ミラーボックスの側面６０ａ’に貼付された両面テープ７０ｂによってミラーボックスの側面６０ａ’に固定されている。固定される長さは、たとえば、接眼系光軸Ｏ１方向における可撓性シート７０の長さのほぼ半分とされる。両面テープ７０ｂに代えて接着剤をミラーボックスの側面６０ａ’に塗布して可撓性シート７０の一端を固定してもよい。
【００２０】
ミラーボックスの矩形状の開口部６０ａの四つの側面のうち、Ｙ軸方向（ミラーボックス前面のボディマウント方向、被写体方向）の側面が平坦面であるの対して、他の三つの側面は凹凸が多く、平坦面が少ないため、図４に想像線で示すように、実施例では可撓性シート７０は開口部６０ａのＹ軸方向の一側面６０ａ’にのみ設けられている。しかし、凹凸部分を避けて開口部６０ａの他の三つの側面の平坦面に可撓性シート７０を設けてもよい。
【００２１】
なお、図５に示すように、ファインダスクリーン５２とペンタプリズム４１との間には、ファインダユニット４０の構成部材である視野表示板４４、第１、第２の視野マスク４５−１、４５−２が配置されている。ここで、視野表示板４４は、その周りに隙間を残すことなく中空のファインダブロック４６に接着剤４４ａで固定されている。そして、第１の視野マスク４５−１は視野表示板４４の上面に、第２の視野マスク４５−２はファインダブロックの段部４６ａにそれぞれ配置されて、視野表示板の視野範囲を限定している。なお、視野表示板４４と第２の視野マスク４５−２との間にプリズム４７が配置されており、表示用のＬＣＤからの絞り、シャッタ速度などの撮影情報がプリズム４７を介して視野表示板に表示され、ファインダ像として観察できる。
【００２２】
図６（Ａ）（Ｂ）（Ｃ）は図５のＢ部分の部分断面図を示す。
図６（Ａ）は通常の状態を示し、ペンタプリズム側の一端７０ａ１が固定された舌片状の可撓性シートの自由端（図の下端）７０ａ２は、ミラーボックス７０の側面にほぼ接して位置し、スクリーン本体５４とミラーボックス６０との隙間Ｃは塞ぐものはない。
そのため、撮影光学系レンズの交換のために、ミラーボックス前面のボディマウントの開口部を開放すると、カメラの外部からミラーボックスに入り込んだ塵芥が矢視のように隙間Ｃを経てペンタプリズム側に侵入してファインダスクリーン５２の上面に付着するおそれがある。特に、ボディマウントの開口部や反射ミラー６２(図４参照)から塵芥を除くためにブロアーなどを使用すると、塵芥が隙間Ｃからペンタプリズム側に流れ込んでファインダスクリーン上に付着する。
【００２３】
塵芥が隙間Ｃを介してペンタプリズム側に侵入するためには、図５（Ｂ）に示すような空気の流れが必要とされる。しかし、空気の流れ（気流）が生じると、図５（Ｃ）に示すように、可撓性シートの自由端７０ａ２は、気流の生じた直後に、気流の圧力差によって吸引されて浮き上がり、対向するスクリーン本体５４の側面に押し付けられる。その自由端７０ａ２がスクリーン本体５４に押し付けられることによって隙間Ｃは可撓性シート７０によって塞がれ、流路が閉じられて空気の流れが断たれる。特に、ボディマウントの開口部や反射ミラー６２から塵芥を除くためにブロアーなどを使用すると気流に大きな圧力差が生じて、可撓性シートの自由端７０ａ２はスクリーン本体５４の側面に直ちに押し付けられて、流路が閉じられる。
【００２４】
このように、隙間Ｃが気流の生じた直後に可撓性シート７０で塞がれ、流路が閉じられて空気の流れが断たれるため、それ以降でのスクリーン本体の隙間を介したペンタプリズム側への塵芥の侵入が阻止されてファインダスクリーン５２の上面への塵芥の付着が防止される。したがって、ファインダスクリーン上への塵芥の付着を大幅に減らすことができる。
【００２５】
さらに、図６（Ａ）に示すように、空気の流れのない通常の使用時では、可撓性シート７０を浮き上がらせてスクリーン本体５４に接触させる力は生じない。つまり、可撓性シート７０はスクリーン本体５４に接触せず、スクリーン本体に可撓性シートからの押力が加わらないため、スクリーン本体５４、スクリーン押圧部材５６の間に挟持されているファインダスクリーン５２に位置ずれは生じず、ファインダスクリーンは正しい位置に維持される。
【００２６】
スクリーンユニット５０のスクリーン本体５４を支持する枠部材６０はミラーボックスに限らない。しかし、実施例にように枠部材をミラーボックスとすれば、反射ミラー側の可撓性シートの自由端７０ａ２が浮き上がって、ミラーボックスとの間でのスクリーン本体５４の周りの隙間Ｃを塞いで隙間を介した空気の流れを妨げ、ペンタプリズム側への塵芥の侵入が阻止される。
また、スクリーン本体５４の外形と枠部材（ミラーボックス）６０の内形とを隙間嵌め状態の嵌合としているため、スクリーン本体の外形と枠部材の開口部の内形との間のどのような隙間Ｃも可撓性シート７０で適切に塞ぐことができる。
【００２７】
上述した実施例は、本発明を説明するためのものであり、本発明を何等限定するものでなく、本発明の技術範囲内で変形、改造等の施されたものも全て本発明に包含されることはいうまでもない。
たとえば、実施例では、ミラーボックス（枠部材）６０、スクリーン本体（ユニット枠）５４の間の隙間Ｃに一枚の可撓性シート７０が配置されている。しかし、複数枚の可撓性シート７０を接眼系光軸Ｏ１に沿って縦列に配置してもよく、可撓性シートを複数枚縦列に配置すれば、空気の流路を確実に塞ぐことができる。
また、実施例では、ミラーボックスの開口部の側面６０ａ’に可撓性シート７０に設けているが、ミラーボックスの開口部６０ａの側面に対向するスクリーン本体５４の側面に可撓性シート７０を設けてもよい。
【産業上の利用可能性】
【００２８】
本発明によれば、レンズ交換のためにボデイマウントの開口部が開放される一眼レフレックスカメラに広範囲に応用できる。
【図面の簡単な説明】
【００２９】
【図１】本発明の一実施例に係るファインダ構造を備えた一眼レフレックスカメラの背面外観の斜視図を示す。
【図２】上蓋を除いた一眼レフレックスカメラの背面外観の斜視図を示す。
【図３】ファインダユニットをさらに分離した一眼レフレックスカメラの背面外観の斜視図を示す。
【図４】スクリーンユニットをさらに分離した一眼レフレックスカメラの背面外観の斜視図を示す。
【図５】図３の線Ａ−Ａに沿った一眼レフレックスカメラの一部破断の断面図を示す。
【図６】図５のＢ部分の部分断面図を示し、（Ａ）は空気の流れのない通常の状態を、（Ｂ）は空気の流れの生じた状態を、（Ｃ）は空気の流れによって可撓性シートが流路を閉じた状態を示す。
【符号の説明】
【００３０】
１０    一眼レフレックスカメラ
２０    カメラ本体
３０    上蓋
４０    ファインダユニット
４１    ペンタプリズム
４６    ファインダブロック
５０    スクリーンユニット
５２    ファインダスクリーン（焦点板、フォーカシングスクリーン）
５４    スクリーン本体（ユニット枠）
５６    スクリーン押圧部材
６０    ミラーボックス（枠部材）
６０ａ  上面の開口部
６０ａ’  開口部の側面
６２    反射ミラー
７０    可撓性シート
７０ａ１  可撓性シートの一端（固定端）
７０ａ２  可撓性シートの他端（自由端）
７０ｂ  両面テープ
【図１】
2009092944.tif 000003
【図２】
2009092944.tif 000004
【図３】
2009092944.tif 000005
【図４】
2009092944.tif 000006
【図５】
2009092944.tif 000007
【図６】
2009092944.tif 000008